(57)【要約】【課題】浴槽の側面を洗い場床側に出っ張らせた場合にも、洗い場床の排水口を覆うカバーを容易に着脱できる浴室ユニットを提供する。【解決手段】  浴槽、洗い場床、洗い場床に設けられ排水口を有する凹部、着脱可能に凹部に取り付けられるカバー、を備え、浴槽は、洗い場床側に突出した側面部を有し、カバーは、第１辺と反対側の第２辺、四隅に設けられた脚部、第１辺側に設けられ脚部よりも下方へ突出した突部、第２辺側に設けられカバーが第１辺を浴槽側に向けた第１向きで取り付けられたとき指を掛けることができる切り欠き部、を有し、凹部は、左右に設けられた第１隆起部、洗い場床側の端部に設けられた第２隆起部、を有し、カバーが第１向きで取り付けられたとき、脚部は第１隆起部に載置され、カバーが第２辺を浴槽側に向けた第２向きで取り付けられたとき、突部は第２隆起部に載置される浴室ユニットである。【選択図】図１
2018150755.tif 000002
【特許請求の範囲】
【請求項１】
浴槽と、
前記浴槽に隣接する洗い場床と、
前記浴槽側に寄せて前記洗い場床に設けられ、前記洗い場床の床面よりも下方に凹み、底面に排水口を有する矩形状の凹部と、
着脱可能に前記凹部に取り付けられ、前記凹部内に嵌って前記排水口の上方を覆いつつ、前記洗い場床から前記排水口への排水を可能にする矩形状のカバーと、
を備え、
前記浴槽は、前記洗い場床との間に隙間を生じるよう前記洗い場床側に突出した側面部を有し、
前記カバーは、
第１辺と、
前記第１辺と反対側の第２辺と、
四隅のそれぞれに設けられた脚部と、
前記第１辺側に設けられ、前記第１辺側の前記脚部よりも下方へ突出した突部と、
前記第２辺側に設けられ、前記カバーが前記第１辺を前記浴槽側に向けた第１向きで前記凹部に取り付けられた状態において使用者が指を掛けることができる切り欠き部と、
を有し、
前記凹部は、
前記浴槽と前記洗い場床とが並ぶ方向に対して垂直な方向における両端部に設けられ、前記底面から隆起した第１隆起部と、
前記洗い場床側の端部に設けられ、前記底面から隆起した第２隆起部と、
を有し、
前記カバーが前記第１向きで前記凹部に取り付けられたとき、前記脚部のそれぞれは、前記第１隆起部に載置され、
前記カバーが前記第２辺を前記浴槽側に向けた第２向きで前記凹部に取り付けられたとき、前記突部は、前記第２隆起部に載置されることを特徴とする浴室ユニット。
【請求項２】
前記カバーは、前記突部が前記第２隆起部に載置された状態において、前記洗い場床側を向き前記第１辺に沿う側面を有し、
前記突部が前記第２隆起部に載置された状態において、前記側面の少なくとも一部の下端と、前記洗い場床の床面と、の間に隙間が生じることを特徴とする請求項１記載の浴室ユニット。
【発明の詳細な説明】
【技術分野】
【０００１】
本発明の態様は、一般的に、浴室ユニットに関する。
【背景技術】
【０００２】
図９（ａ）に表したように、浴室に設置して使用される浴室ユニット１００において、洗い場床１２０との間に隙間ができるよう浴槽１１０の側面を洗い場床１２０側に出っ張らせることが知られている（例えば、特許文献１）。このように、浴槽１１０の側面を出っ張らせることで、例えば、浴槽１１０が浮いているような印象を使用者に与え、意匠性を向上させることができる。
【０００３】
洗い場床１２０は、排水口が底面に設けられた凹部１２２を有する。凹部１２２には、カバー１３０が嵌め込まれる。カバー１３０は、排水口などを覆い、排水口などが使用者に視認されてしまうことを抑制しつつ、洗い場床１２０に流れた水を凹部１２２内の排水口に排水可能とする。
【０００４】
凹部１２２は、浴槽１１０側に寄せて配置される。このため、凹部１２２の一部及びカバー１３０の一部は、浴槽１１０の側面の下方に配置される。これにより、凹部１２２やカバー１３０を使用者に視認し辛くし、洗い場床１２０の美観を向上させることができる。
【０００５】
また、図９（ａ）に表したように、このような浴室ユニット１００において、矩形状のカバー１３０の１つのコーナー部に切り欠き部１３０ａを設け、切り欠き部１３０ａが洗い場床１２０側を向くようにカバー１３０を凹部１２２に取り付けることにより、カバー１３０を着脱し易くすることも提案されている。
【０００６】
しかしながら、上記のように切り欠き部１３０ａを設けた場合、切り欠き部１３０ａを浴槽１１０側に向けて反対向きにカバー１３０を凹部１２２に取り付けてしまう可能性がある。カバー１３０を反対向きに取り付けてしまうと、使用者がカバー１３０を取り外す際に、図９（ｂ）に表したように、浴槽１１０の側面の下端と洗い場床１２０との間の狭い隙間に手を入れてカバー１３０を取り外さなければならず、カバー１３０を非常に取り外し辛くなってしまう。また、カバー１３０を持ち上げようとした際に、図９（ｂ）に表したように、カバー１３０と浴槽１１０との間に手を挟んでしまう可能性も生じる。
【０００７】
このため、浴室ユニットでは、浴槽の側面を洗い場床側に出っ張らせた場合にも、洗い場床の排水口を覆うカバーを容易に着脱できるようにすることが望まれる。
【先行技術文献】
【特許文献】
【０００８】
【特許文献１】特開２００９−３０３２５号公報
【発明の概要】
【発明が解決しようとする課題】
【０００９】
本発明は、かかる課題の認識に基づいてなされたものであり、浴槽の側面を洗い場床側に出っ張らせた場合にも、洗い場床の排水口を覆うカバーを容易に着脱できる浴室ユニットを提供することを目的とする。
【課題を解決するための手段】
【００１０】
第１の発明は、浴槽と、前記浴槽に隣接する洗い場床と、前記浴槽側に寄せて前記洗い場床に設けられ、前記洗い場床の床面よりも下方に凹み、底面に排水口を有する矩形状の凹部と、着脱可能に前記凹部に取り付けられ、前記凹部内に嵌って前記排水口の上方を覆いつつ、前記洗い場床から前記排水口への排水を可能にする矩形状のカバーと、を備え、前記浴槽は、前記洗い場床との間に隙間を生じるよう前記洗い場床側に突出した側面部を有し、前記カバーは、第１辺と、前記第１辺と反対側の第２辺と、四隅のそれぞれに設けられた脚部と、前記第１辺側に設けられ、前記第１辺側の前記脚部よりも下方へ突出した突部と、前記第２辺側に設けられ、前記カバーが前記第１辺を前記浴槽側に向けた第１向きで前記凹部に取り付けられた状態において使用者が指を掛けることができる切り欠き部と、を有し、前記凹部は、前記浴槽と前記洗い場床とが並ぶ方向に対して垂直な方向における両端部に設けられ、前記底面から隆起した第１隆起部と、前記洗い場床側の端部に設けられ、前記底面から隆起した第２隆起部と、を有し、前記カバーが前記第１向きで前記凹部に取り付けられたとき、前記脚部のそれぞれは、前記第１隆起部に載置され、前記カバーが前記第２辺を前記浴槽側に向けた第２向きで前記凹部に取り付けられたとき、前記突部は、前記第２隆起部に載置されることを特徴とする浴室ユニットである。
【００１１】
この浴室ユニットによれば、誤って第２向きでカバーを凹部に取り付けた場合には、突部が第２隆起部の上に載置されることにより、突部が設けられたカバーの第１辺側を洗い場床の床面よりも高い位置とすることができる。これにより、使用者はカバーの第１辺側に指を掛けて洗い場床側からカバーを取り外すことができる。第１向きでカバーを凹部に取り付けた場合には、四隅の脚部は第１隆起部に載置され、突部は凹部内の浴槽側の空間に収まる。この場合、洗い場床の床面とカバーの上面とを略面一とすることができる。このとき、使用者は、第２辺側に設けられた切り欠き部に指をかけて洗い場床側からカバーを取り外すことができる。従って、浴槽の第１側面部を洗い場床側に出っ張らせた場合にも、洗い場床の排水口を覆うカバーを容易に着脱することができる。また、第１向きでカバーを凹部に取り付けたときに脚部が第１隆起部に載置されることにより、脚部の長さが短くてすむ。これにより、より容易にカバーを凹部に着脱することができる。
【００１２】
第２の発明は、第１の発明において、前記カバーは、前記突部が前記第２隆起部に載置された状態において、前記洗い場床側を向き前記第１辺に沿う側面を有し、前記突部が前記第２隆起部に載置された状態において、前記側面の少なくとも一部の下端と、前記洗い場床の床面と、の間に隙間が生じることを特徴とする浴室ユニットである。
【００１３】
この浴室ユニットによれば、カバーの側面の少なくとも一部の下端と、洗い場床の床面と、の間の隙間によって使用者がより指をカバーに掛けやすくなり、カバーの取外しの作業性が向上する。
【発明の効果】
【００１４】
本発明の態様によれば、浴槽の側面を洗い場床側に出っ張らせた場合にも、洗い場床の排水口を覆うカバーを容易に着脱できる浴室ユニットが提供される。
【図面の簡単な説明】
【００１５】
【図１】実施形態に係る浴室ユニットを表す斜視図である。
【図２】実施形態に係る浴室ユニットを表す断面図である。
【図３】図３（ａ）及び図３（ｂ）は、実施形態に係る凹部及びカバーを表す斜視図である。
【図４】図４（ａ）及び図４（ｂ）は、実施形態に係るカバーを表す斜視図である。
【図５】図５（ａ）及び図５（ｂ）は、実施形態に係る凹部及びカバーを表す断面図である。
【図６】図６（ａ）及び図６（ｂ）は、実施形態に係る凹部及びカバーを表す断面図である。
【図７】図７（ａ）及び図７（ｂ）は、実施形態に係る凹部及びカバーを表す断面図である。
【図８】図８（ａ）及び図８（ｂ）は、実施形態に係る凹部及びカバーの変形例を表す断面図である。
【図９】図９（ａ）及び図９（ｂ）は、参考の浴室ユニットを表す斜視図である。
【発明を実施するための形態】
【００１６】
以下、実施形態について図面を参照しつつ説明する。なお、各図面中、同様の構成要素には同一の符号を付して詳細な説明は適宜省略する。  
図１は、実施形態に係る浴室ユニットを表す斜視図である。  
図２は、実施形態に係る浴室ユニットを表す断面図である。  
図１及び図２に表したように、浴室ユニット１０は、浴槽１２と、洗い場床１４と、凹部１６と、カバー１８と、を備える。洗い場床１４は、浴槽１２に隣接して設けられる。浴室ユニット１０は、例えば、浴槽１２、洗い場床１４、及び周囲の壁面パネルなどをユニット化した、いわゆるユニットバスやシステムバスである。
【００１７】
以下、本願明細書では、上下方向をＺ軸方向、浴槽１２と洗い場床１４とが並ぶ方向をＸ軸方向（第１方向）、Ｚ軸方向及びＸ軸方向と直交する方向をＹ軸方向（第２方向）と、それぞれ呼ぶ場合がある。Ｙ軸方向は、換言すれば、洗い場床１４の床面１４ａと平行でＸ軸方向と直交する方向である。
【００１８】
凹部１６は、浴槽１２側に寄せて洗い場床１４に設けられる。凹部１６は、洗い場床１４の床面１４ａよりも下方に凹む。凹部１６は、底面１６ａを有する。また、凹部１６は、底面１６ａに設けられた排水口１６ｂを有する。
【００１９】
排水口１６ｂは、例えば、排水トラップなどを介して建築の排水管などに接続され、洗い場床１４側から流入した水を外部の排水管などに排水する。また、凹部１６は、例えば、浴槽１２内の水が排水された際に、浴槽１２から排水された水が洗い場床１４側に溢れ出てしまうことを抑制する。
【００２０】
排水口１６ｂには、例えば、ヘアキャッチャー２０が設けられる。ヘアキャッチャー２０は、排水口１６ｂに着脱可能に取り付けられる。ヘアキャッチャー２０は、複数の開口を有する格子状又は網状に形成され、毛髪やゴミなどが排水管に流れてしまうことを抑制する。ヘアキャッチャー２０は、必要に応じて設けられ、省略可能である。
【００２１】
凹部１６を上方から見た形状は、矩形状である。換言すれば、凹部１６の開口形状は、矩形状である。凹部１６は、例えば、略直方体状に凹んだ凹所である。凹部１６の一つの辺は、Ｘ軸方向に延びる。凹部１６の別の一つの辺は、Ｙ軸方向に延びる。底面１６ａを上方から見た形状は、必ずしも矩形状でなくてもよい。凹部１６は、少なくとも開口部の形状が矩形状であればよい。凹部１６の開口部の各辺は、僅かに湾曲していてもよい。
【００２２】
カバー１８は、着脱可能に凹部１６に取り付けられる。カバー１８を上方から見た形状は、矩形状である。カバー１８の外形形状は、凹部１６の開口形状に対応して形成されている。カバー１８は、凹部１６に取り付けられた状態において、凹部１６内に嵌って排水口１６ｂの上方を覆いつつ、洗い場床１４から排水口１６ｂへの排水を可能にする。
【００２３】
このように、カバー１８は、排水を可能にしつつ、排水口１６ｂやヘアキャッチャー２０などを覆い隠す。これにより、浴室ユニット１０の美観を向上させることができる。また、カバー１８の上面１８ａは、図２に表したように凹部１６に正しい向き（後述する第１向き）で取り付けられた状態において、洗い場床１４の床面１４ａと略面一になる。略面一とは、例えば、一方の面と他方の面との位置の差が２ｍｍ以下の状態である。これにより、例えば、使用者などが凹部１６に足を引っ掛けてしまうことなどを抑制することができる。
【００２４】
浴槽１２は、洗い場床１４との間に隙間を生じるように洗い場床１４側に突出した第１側面部３１（側面部）を有する。第１側面部３１は、洗い場床１４側を向く。第１側面部３１は、換言すれば、浴槽１２の外側面である。第１側面部３１の下端３１ａの一部は、例えば、凹部１６に取り付けられたカバー１８の上方に位置する。第１側面部３１の下端３１ａは、必ずしも凹部１６に取り付けられたカバー１８の上方に位置していなくてもよい。
【００２５】
浴槽１２は、例えば、第２側面部３２と、下面部３３と、をさらに有する。第２側面部３２は、洗い場床１４側を向き、第１側面部３１よりも浴槽１２側に設けられている。下面部３３は、Ｘ軸方向に延び、第１側面部３１の下端３１ａと、第２側面部３２の上端と、を接続する。下面部３３は、換言すれば、第１側面部３１の下端３１ａから浴槽１２側に向かって延びる。下面部３３は、下方を向く面である。
【００２６】
第２側面部３２は、例えば、洗い場床１４の床面１４ａの浴槽１２側の端部から上方に向かって延びる。凹部１６は、例えば、第２側面部３２に近接して配置される。凹部１６の浴槽１２側の内側面は、例えば、第２側面部３２と略面一に形成される。第１側面部３１は、第２側面部３２よりも洗い場床１４側に突出する。第１側面部３１の突出量は、凹部１６のＸ軸方向の長さ未満である。これにより、第１側面部３１の下端３１ａの一部が、凹部１６に取り付けられたカバー１８の上方に位置する。
【００２７】
第１側面部３１、第２側面部３２、及び下面部３３は、例えば、浴槽１２の浴槽本体に着脱可能に取り付けられる浴槽エプロン（側面パネル）によって形成される。第１側面部３１、第２側面部３２、及び下面部３３は、例えば、浴槽１２の内側面と連続的に形成してもよい。すなわち、第１側面部３１、第２側面部３２、及び下面部３３は、浴槽１２の浴槽本体の外側面でもよい。
【００２８】
例えば、第２側面部３２は、洗い場床１４に一体に設けてもよい。第２側面部３２は、例えば、洗い場床１４の床面１４ａの端部から上方に立ち上がる立ち上がり部（土手部）でもよい。このように、第１側面部３１は、浴槽１２に設け、第２側面部３２は、洗い場床１４に設けてもよい。浴槽１２は、少なくとも第１側面部３１を有していればよい。
【００２９】
図３（ａ）及び図３（ｂ）は、実施形態に係る凹部及びカバーを表す斜視図である。  
図４（ａ）及び図４（ｂ）は、実施形態に係るカバーを表す斜視図である。  
図３（ａ）は、凹部１６にカバー１８を取り付けた状態を表す。  
図３（ｂ）は、凹部１６からカバー１８を取り外した状態を表す。  
図４（ａ）は、カバー１８を上方（表側）から見た状態を表す斜視図である。  
図４（ｂ）は、カバー１８を下方（裏側）から見た状態を表す斜視図である。
【００３０】
図３（ｂ）に表したように、凹部１６は、第１隆起部６１と、第２隆起部６２と、を有する。第１隆起部６１は、凹部１６の左右方向（Ｙ軸方向）における両端部のそれぞれに設けられる。換言すれば、第１隆起部６１は、凹部１６のうち、浴槽１２と洗い場床１４とが並ぶ方向に対して垂直な方向における両端部に設けられる。第１隆起部６１は、凹部１６の底面１６ａから上方へ隆起した部分である。２つの第１隆起部６１が排水口１６ｂを挟んでＹ軸方向の両側に配置されている。この例において、第１隆起部６１は、矩形状の凹部１６の各短辺に沿って設けられている。
【００３１】
第２隆起部６２は、凹部１６の左右方向における各両端側において、洗い場床１４側の端部に設けられる。第２隆起部６２は、凹部１６の底面１６ａから上方へ隆起した部分である。第２隆起部６２は、第１隆起部６１と連続して設けられている。２つの第２隆起部６２が排水口１６ｂを挟んでＹ軸方向の両側に配置されている。この例において、第２隆起部６２は、矩形状の凹部１６の洗い場床１４側の長辺に沿って設けられている。
【００３２】
第１隆起部６１は、上面６１ａ、６１ｂを有する。上面６１ａ、６１ｂは、例えば、カバー１８を載置するための載置面である。上面６１ａ、６１ｂは、略水平面状である。略水平面とは、例えば、面内の最も高い位置と最も低い位置との差が２ｍｍ以下の平面である。また、上面６１ｂは、上面６１ａと略面一である。
【００３３】
第２隆起部６２は、上面６２ａ、６２ｂを有する。上面６２ａ、６２ｂは、略水平面状である。第２隆起部６２の上面６２ａは、例えば第１隆起部６１の上面６１ａと連続しており、上面６１ａと略面一である。第２隆起部６２の上面６２ｂは、例えば第１隆起部６１の上面６１ｂと連続しており、上面６１ｂと略面一である。
【００３４】
第１隆起部６１及び第２隆起部６２は、凹部１６のうち深さが浅くなった部分である。換言すれば、Ｚ軸方向における位置に関して、上面６１ａ、６１ｂ、６２ａ、６２ｂのそれぞれは、凹部１６の底面１６ａと、洗い場床１４の床面１４ａと、の間である。
【００３５】
凹部１６は、例えば、端面１６ｅ、１６ｆを有する。端面１６ｅは、上面６１ａの浴槽１２側の一端と連続して設けられ、洗い場床１４側を向く。端面１６ｆは、上面６１ｂの浴槽１２側の一端と連続して設けられ、洗い場床１４側を向く。
【００３６】
カバー１８は、第１辺４１と、第２辺４２と、を有する。第２辺４２は、第１辺４１と反対側の辺である。より詳しくは、カバー１８の矩形状の上面１８ａは、第１辺４１と、第１辺４１と反対側の第２辺４２と、を有する。カバー１８の上面１８ａは、例えば、第１辺４１の一端側から第２辺４２の一端側に向かって延びる第３辺４３と、第１辺４１の他端側から第２辺４２の他端側に向かって延びる第４辺４４と、をさらに有する。
【００３７】
第２辺４２は、第１辺４１と略平行である。第４辺４４は、第３辺４３と略平行である。また、第３辺４３及び第４辺４４は、第１辺４１及び第２辺４２と略直交する。略平行とは、例えば、２つの辺の成す角度が、２°以下の状態である。略直交とは、例えば、２つの辺の成す角度が、８９°以上９１°以下の状態である。カバー１８の外形形状は、例えば、矩形の平板状（直方体状）である。
【００３８】
第１辺４１及び第２辺４２の長さは、例えば、凹部１６のＹ軸方向の長さよりも僅かに短い程度（例えば１ｍｍ〜４ｍｍ程度）に設定される。第３辺４３及び第４辺４４の長さは、例えば、凹部１６のＸ軸方向の長さよりも僅かに短い程度に設定される。これにより、カバー１８を凹部１６内に嵌め易くすることができるとともに、凹部１６の内側面とカバー１８の外側面との間に空く隙間から洗い場床１４に流れた水を排水口１６ｂに排水することができる。
【００３９】
カバー１８の裏面側には、四隅のそれぞれに配置された４つの脚部１８ｂが設けられている。各脚部１８ｂのそれぞれにおいて、脚部１８ｂの下端から上面１８ａまでの長さ（高さ）は、寸法誤差の範囲内（例えば±０．５ｍｍ）において実質的に一定である。各脚部１８ｂは、水平面上に載置された状態において、上面１８ａを実質的に水平にする。
【００４０】
また、カバー１８の裏面側には、第１辺４１側に設けられた突部１８ｅが設けられている。この例において、カバー１８のうち第１辺４１側の端部に、２つの突部１８ｅがＹ軸方向に並べて設けられている。突部１８ｅの下端から上面１８ａまでの長さは、寸法誤差の範囲内において実質的に一定である。
【００４１】
突部１８ｅは、第１辺４１側に設けられた脚部１８ｂよりも下方へ突出している。すなわち、突部１８ｅの下端から上面１８ａまでの長さ（高さ）は、脚部１８ｂの下端から上面１８ａまでの長さよりも長い。
【００４２】
カバー１８の上面１８ａの形状は、凹部１６の形状に対応する矩形状である。従って、カバー１８は、第１辺４１を浴槽１２側に向けた第１向きで凹部１６内に嵌め込むことができる。
【００４３】
カバー１８は、第１辺４１に沿う側面１８ｃと、第２辺４２に沿う側面１８ｄと、を有する。カバー１８は、第１向きで凹部１６に取り付けられた場合、側面１８ｃの両端部Ｓ１、Ｓ２を凹部１６の端面１６ｅ、１６ｆと対向させる。
【００４４】
カバー１８が第１向きで凹部１６内に嵌った状態において、脚部１８ｂのそれぞれは、第１隆起部６１（上面６１ａ又は６１ｂ）の上に載置される。これにより、凹部１６に第１向きでカバー１８を取り付けた状態において、カバー１８の上面１８ａが、略水平になる。また、脚部１８ｂの下端から上面１８ａまでの長さは、第１隆起部６１の上面６１ａ、６１ｂから床面１４ａまでのＺ軸方向の長さと実質的に同じである。従って、凹部１６に第１向きでカバー１８を取り付けた状態において、カバー１８の上面１８ａが、洗い場床１４の床面１４ａと略面一になる（図５（ａ）参照）。
【００４５】
なお、カバー１８が第１向きで凹部１６に取り付けられた状態においては、突部１８ｅは、第１隆起部６１及び第２隆起部６２の上に載置されていない。突部１８ｅの下端から上面１８ａまでの長さは、底面１６ａから床面１４ａまでのＺ軸方向の長さ以下である。この状態において、突部１８ｅは、凹部１６内の浴槽１２側の空間に収まっている。
【００４６】
例えば、使用者が、第１向きとは逆向きの第２向きでカバー１８を取り付けようとする場合もある。すなわち、カバー１８は、第２辺４２を浴槽１２側に向けた第２向きで凹部１６に取り付けられる場合がある。カバー１８は、第２向きで凹部１６に取り付けられた場合、側面１８ｄの両端部Ｓ３、Ｓ４を凹部１６の端面１６ｅ、１６ｆと対向させる。
【００４７】
カバー１８が第２向きで凹部１６に取り付けられた状態において、各突部１８ｅは、第２隆起部６２（上面６２ａ又は６２ｂ）の上に載置される。このとき、例えば、４つの脚部１８ｂのうち、第１辺４１側に設けられた２つの脚部１８ｂは、第１隆起部６１から離間し、第２辺４２側に設けられた２つの脚部１８ｂは、第１隆起部６１の上に載置される。これにより、カバー１８が凹部１６に第２向きで取り付けられた状態において、カバー１８の上面１８ａが水平面から傾く（図６（ａ）参照）。突部１８ｅの下端から上面１８ａまでの長さは、第２隆起部６２の上面６２ａ、６２ｂから床面１４ａまでのＺ軸方向の長さよりも長い。従って、凹部１６に第２向きでカバー１８を取り付けた状態において、カバー１８の第１辺４１側の上端の位置は、カバー１８の第２辺４２側の上端の位置よりも高く、床面１４ａの位置よりも高い。
【００４８】
なお、隆起部（第１隆起部６１、第２隆起部６２のそれぞれ）の数は、２つに限ることなく任意の数でよい。第１隆起部６１及び第２隆起部６２は、互いに連続して設けられたものだけでなく、互いに分離して設けられてもよい。脚部１８ｂの数は、４つに限ることなく、第１向きにおいて第１隆起部６１の上に載置可能な任意の数でよい。この例においては、４つの脚部１８ｂが互いに分離して設けられているが、脚部１８ｂの数や形状はこれに限らず、脚部１８ｂは、カバー１８の少なくとも四隅近傍に設けられていればよい。例えば、四隅近傍に設けられた脚部１８ｂは、互いに分離しているものだけでなく、互いに連なって設けられたものであってもよい。突部１８ｅの数は、２つに限ることなく、第２向きにおいて第２隆起部６２の上に載置可能な任意の数でよい。突部１８ｅは、必ずしも第１辺４１上でなくてもよく、第１辺４１側に寄せて設けられればよい。凹部１６及びカバー１８の形状は、上記に限ることなく、カバー１８を凹部１６に取り付け可能な任意の形状でよい。
【００４９】
凹部１６及びカバー１８は、例えば、第１辺４１及び第２辺４２と平行な方向の長さが、第１辺４１及び第２辺４２と直交する方向の長さよりも長い横長矩形状である。換言すれば、凹部１６及びカバー１８のＹ軸方向の長さは、凹部１６及びカバー１８のＸ軸方向の長さよりも長い。
【００５０】
凹部１６及びカバー１８のＹ軸方向の長さは、例えば、凹部１６及びカバー１８のＸ軸方向の長さと実質的に同じでもよい。すなわち、凹部１６及びカバー１８を上方から見た形状は、正方形状でもよい。あるいは、上記とは反対に、凹部１６及びカバー１８のＹ軸方向の長さを、凹部１６及びカバー１８のＸ軸方向の長さより短くしてもよい。
【００５１】
カバー１８は、第２辺４２の一端側に設けられた切り欠き部５２を有する。この例において、切り欠き部５２は、第２辺４２の一端に設けられる。換言すれば、切り欠き部５２は、矩形状のカバー１８の角部に設けられる。但し、切り欠き部５２の位置は、必ずしも第２辺４２の一端でなくてもよい。切り欠き部５２は、必ずしも矩形状のカバー１８の角部に設けられていなくてもよい。例えば、第２辺４２上に切り欠き部５２を設けてもよい。切り欠き部５２は、第２辺４２の一端側に寄せて設けられることが望ましい。
【００５２】
図５（ａ）及び図５（ｂ）は、実施形態に係る凹部及びカバーを表す断面図である。  
図５（ａ）は、カバー１８が凹部１６に第１向きで取り付けられた状態を表す。このとき、切り欠き部５２は、使用者が指を掛けることが可能な形状に形成されている。
切り欠き部５２は、凹部１６に第１向きで取り付けられた状態のカバー１８に指を掛けられるようにするものである。例えば、指が掛からない程度の切り欠きは、切り欠き部５２に含まれるものではない。
【００５３】
これにより、カバー１８は、第１辺４１を浴槽１２側に向けた第１向きで凹部１６に取り付けた場合には、図５（ｂ）に表したように、洗い場床１４側に配置される切り欠き部５２に指を掛け、側面１８ｃの両端部Ｓ１、Ｓ２を凹部１６の端面１６ｅ、１６ｆに当接させ、カバー１８の浴槽１２側の端部を軸に回転させることで、凹部１６から取り外すことができる。切り欠き部５２の形状は、カバー１８が凹部１６に取り付けられた状態において指を掛けることが可能な任意の形状でよい。
【００５４】
図６（ａ）及び図６（ｂ）は、実施形態に係る凹部及びカバーを表す断面図である。  
図６（ａ）は、カバー１８が凹部１６に第２向きで取り付けられた状態を表す。このとき、カバー１８の第１辺４１側の上端の位置は、床面１４ａの位置よりも高い。これにより、側面１８ｃの少なくとも一部は、床面１４ａよりも上方に位置し、使用者は側面１８ｃに指を掛けることができる。突部１８ｅは、第２隆起部４２の上に載置されることで、カバー１８の第１辺４１側を指を掛けられる程度に持ち上げるものである。
【００５５】
図６（ｂ）に表したように、カバー１８は、第１辺４２を浴槽１２側に向けた第２向きで凹部１６に取り付けた場合には、洗い場床１４側に配置される側面１８ｃに指を掛け、側面１８ｄの両端部Ｓ３、Ｓ４を凹部１６の端面１６ｅ、１６ｆに当接させ、カバー１８の浴槽１２側の端部を軸に回転させることで、凹部１６から取り外すことができる。
【００５６】
図７（ａ）及び図７（ｂ）は、実施形態に係る凹部及びカバーを表す断面図である。  
図７（ａ）及び図７（ｂ）に表したように、第１側面部３１の下端３１ａは、第１向きで凹部１６に取り付けられたカバー１８の洗い場床１４側の端部を軸に回転させて、カバー１８を凹部１６から取り外す際に、カバー１８の浴槽１２側の端部、又はカバー１８を把持する手（指）と接触する位置に配置されている。
【００５７】
このように、第１側面部３１の下端３１ａは、凹部１６に取り付けられたカバー１８の上方において、カバー１８の近傍に配置される。浴槽１２の上端（リム面）は、洗い場床１４の床面１４ａよりも上方に位置する。第１側面部３１の下端３１ａは、例えば、浴槽１２の上端と洗い場床１４の床面１４ａとの高さ方向（Ｚ軸方向）の中央よりも下方に配置される。第１側面部３１の下端３１ａと洗い場床１４の床面１４ａとの間の高さ方向の距離Ｄ１は、例えば、１ｃｍ以上１０ｃｍ以下である。これにより、例えば、洗い場床１４に立った使用者が斜め上方から浴槽１２を見た際に、第２側面部３２が第１側面部３１によって覆い隠され、浴槽１２が床面１４ａから浮いているような印象を強くすることができる。
【００５８】
例えば、突部１８ｅが設けられていないカバーにおいて、切り欠き部を浴槽１２側に向けて凹部１６に取り付けてしまった場合、使用者がカバーを取り外す際に、浴槽１２の第１側面部３１の下端３１ａと洗い場床１４との間の狭い隙間に手を入れてカバーを取り外さなければならず、カバーを非常に取り外し辛くなってしまう。また、カバーを持ち上げようとした際に、図７（ｂ）に表したように、カバーと第１側面部３１の下端３１ａとの間、もしくはカバーと下面部３３との間に手や指を挟んでしまう可能性も生じる。
【００５９】
これに対して、本実施形態に係る浴室ユニット１０では、カバー１８が、突部１８ｅと切り欠き部５２とを有する。これにより、誤って第２向き（正しい向きとは逆向き）でカバー１８を凹部１６に取り付けた場合には、突部１８ｅが第２隆起部６２の上に載置されることにより、突部１８ｅが設けられたカバー１８の第１辺４１側を洗い場床１４の床面１４ａよりも高い位置とすることができる。これにより、使用者はカバー１８の第１辺４１側に指を掛けて洗い場床１４側からカバー１８を取り外すことができる。正しい向き（第１向き）でカバー１８を凹部１６に取り付けた場合には、四隅の脚部１８ｂは第１隆起部６１に載置され、突部１８ｅは第２隆起部６２に載置されず凹部１６内の浴槽１２側の空間に収まる。この場合、突部１８ｅが設けられたカバー１８の第１辺４１側が第２辺４２側よりも高くならず、洗い場床１４の床面１４ａとカバー１８の上面１８ａとを略面一とすることができる。このとき、使用者は、第２辺４２側に設けられた切り欠き部５２に指をかけて洗い場床１４側からカバー１８を取り外すことができる。従って、浴槽１２の第１側面部３１を洗い場床１４側に出っ張らせた場合にも、洗い場床１４の排水口１６ｂを覆うカバー１８を容易に着脱することができる。  
また、第１向きでカバー１８を凹部１６に取り付けたときに脚部１８ｂが第１隆起部６１に載置されることにより、脚部１８ｂの長さが短くて済む。これにより、より容易にカバー１８を凹部１６に着脱することができる。例えば、カバー１８を凹部１６から取り外す際に、使用者が凹部１６からカバー１８を持ち上げる距離を短くすることができる。    第１向き及び第２向きのいずれの向きでカバー１８を凹部１６に取り付けた場合でも、カバー１８の洗い場床１４側に配置された部分に指を掛けることができるため、浴槽１２の第１側面部３１の下端３１ａと洗い場床１４との間の狭い隙間に手を入れる必要がなく、カバー１８と浴槽１２との間に手を挟んでしまうこともない。
【００６０】
また、浴室ユニット１０では、凹部１６及びカバー１８が、第１辺４１及び第２辺４２と平行な方向の長さが、第１辺４１及び第２辺４２と直交する方向の長さよりも長い横長矩形状である。これにより、カバー１８の洗い場床１４側への露出を抑えることができ、意匠性をより高めることができる。また、使用者などに利用される頻度の高い洗い場床１４のＸ軸方向の中央付近に水が溜まることを抑制することができる。例えば、凹部１６に集中するように洗い場床１４の床面１４ａの排水勾配を形成する場合に、Ｘ軸方向に延びた縦長状の凹部及びカバーと比べて、床面１４ａに流れる水を、より浴槽１２側に寄せることができる。従って、浴室ユニット１０の快適性をより向上させることができる。
【００６１】
図８（ａ）及び図８（ｂ）は、実施形態に係る凹部及びカバーの変形例を表す断面図である。  
図８（ａ）は、カバー１８が凹部１６に第２向きで取り付けられた状態を表す。突部１８ｅが第２隆起部６２の上に載置され、カバー１８の第１辺４１側の上端は、洗い場床１４の床面１４ａよりも上方に位置する。第１辺４１に沿う側面１８ｃは、洗い場床１４側を向く。
【００６２】
突部１８ｅが第２隆起部６２に載置された状態において、側面１８ｃの少なくとも一部の下端１８ｇと、洗い場床１４の床面１４ａと、の間に隙間Ｇ１が生じている。例えば、突部１８ｅが第２隆起部６２に載置された状態において、下端１８ｇの位置は、床面１４ａの位置よりも高い。これにより、図８（ｂ）に表したように、使用者は、隙間Ｇ１に指を入れるようにして、側面１８ｃの下端１８ｇに指を掛けることができる。隙間Ｇ１によって使用者がより指をカバー１８に掛けやすくなり、カバー１８の取外しの作業性が向上する。
【００６３】
隙間Ｇ１は、突部１８ｅが第２隆起部６２に載置された状態において、側面１８ｃの下端の全体に亘って生じていなくてもよい。例えば、図４（ｂ）に表したように側面１８ｃの高さ方向の幅が一定でない場合は、幅が狭い部分において、隙間Ｇ１が生じていればよい。
【００６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室ユニット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１０ 浴室ユニット、  １２ 浴槽、  １４ 洗い場床、  １４ａ 床面、  １６ 凹部、  １６ａ 底面、  １６ｂ 排水口、  １６ｅ 端面、  １６ｆ 端面、  １８ カバー、  １８ａ 上面、  １８ｂ 脚部、  １８ｃ 側面、  １８ｄ 側面、  １８ｅ 突部、  １８ｇ 下端、  ２０ ヘアキャッチャー、  ３１ 側面部、  ３１ａ 下端、  ３２ 側面部、  ３３ 下面部、  ４１ 第１辺、  ４２ 第２辺、  ４３ 第３辺、  ４４ 第４辺、  ５２ 切り欠き部、  ６１ 第１隆起部、  ６２ 第２隆起部、  １００ 浴室ユニット、  １１０ 浴槽、  １２０ 洗い場床、  １２２ 凹部、  １３０ カバー、  １３０ａ 切り欠き部
【図１】
2018150755.tif 000003
【図２】
2018150755.tif 000004
【図３】
2018150755.tif 000005
【図４】
2018150755.tif 000006
【図５】
2018150755.tif 000007
【図６】
2018150755.tif 000008
【図７】
2018150755.tif 000009
【図８】
2018150755.tif 000010
【図９】
2018150755.tif 000011